(57)【特許請求の範囲】
【請求項１】
点灯装置と、光源と、当該光源が発した光によって照らされる表示部とを備える誘導灯装置において、
上記点灯装置は、
外部電源から供給された電力を蓄電する蓄電部と、
上記蓄電部が蓄電した電力を、上記光源を点灯させる電力に変換し、変換した電力を上記光源に供給する変換部と、
上記外部電源からの電力供給が停止したことを検出する停電判定部と、
上記外部電源からの電力供給が停止したことを上記停電判定部が検出した場合に、上記外部電源からの電力供給が停止してからの経過時間を計測する計時部と、
上記光源をオンオフする信号を生成する光源オンオフ部とを有し、
上記光源オンオフ部は、
上記外部電源からの電力供給が停止したことを上記停電判定部が検出し、上記計時部が計測した経過時間が法定点灯時間と同じかそれよりも長い時間に設定された基準時間未満である場合に、上記変換部が変換した上記電力を上記光源に連続供給して上記光源を一定の明るさで連続点灯させ、
上記外部電源からの電力供給が停止したことを上記停電判定部が検出し、上記計時部が計測した経過時間が上記基準時間以上である場合に、上記変換部が変換した上記電力を上記光源に断続供給して上記光源を周期的に周波数２Ｈｚ〜１０Ｈｚで点滅させる誘導灯装置。
【請求項２】
上記光源オンオフ部が上記光源を周期的に点滅させるとき上記光源を流れる電流のピーク値は、上記光源オンオフ部が上記光源を連続点灯させるとき上記光源を流れる電流のピーク値以上である請求項１に記載の誘導灯装置。
【発明の詳細な説明】
【技術分野】
【０００１】
この発明は、光源を点灯させる点灯装置、及び、それを用いた誘導灯装置に関する。
【背景技術】
【０００２】
誘導灯装置は、平常時に外部電源から供給された電力で蓄電池を充電しておき、停電時に蓄電池から電力を供給して光源を点灯する。光源としては、例えばＬＥＤなどが用いられる。
【先行技術文献】
【特許文献】
【０００３】
【特許文献１】特開２００６−２８６３３９号公報
【特許文献２】特開２００７−７３１９３号公報
【特許文献３】特開２００９−１８７８４５号公報
【特許文献４】特開２００９−２１８０８４号公報
【特許文献５】特開２００７−１８８７９２号公報
【発明の概要】
【発明が解決しようとする課題】
【０００４】
停電時における誘導灯装置の点灯時間は、法令により定められている。
法令で定められた法定点灯時間は、誘導灯装置としての最低基準であり、逃げ遅れる人がいる可能性などを考えると、長く点灯できればできるほどよい。
誘導灯装置を長く点灯できるようにするには、蓄電池の容量を大きくすればよい。しかし、容量の大きい蓄電池は、容積が大きく、コストが高くなる。
この発明は、例えば、蓄電池の容量を変えずに、点灯時間を長くすることを目的とする。
【課題を解決するための手段】
【０００５】
この発明にかかる誘導灯装置は、点灯装置と、光源と、当該光源が発した光によって照らされる表示部とを備える。点灯装置は、外部電源から供給された電力を蓄電する蓄電部と、上記蓄電部が蓄電した電力を、上記光源を点灯させる電力に変換し、変換した電力を上記光源に供給する変換部と、上記外部電源からの電力供給が停止したことを検出する停電判定部と、上記外部電源からの電力供給が停止したことを上記停電判定部が検出した場合に、上記外部電源からの電力供給が停止してからの経過時間を計測する計時部とを有し、上記変換部は、上記外部電源からの電力供給が停止したことを上記停電判定部が検出し、上記計時部が計測した経過時間が法定点灯時間と同じかそれよりも長い時間に設定された基準時間未満である場合に、変換した上記電力を上記光源に連続供給して上記光源を連続点灯させ、上記外部電源からの電力供給が停止したことを上記停電判定部が検出し、上記計時部が計測した経過時間が上記基準時間以上である場合に、変換した上記電力を上記光源に断続供給して上記光源を周期的に点滅させる。
【発明の効果】
【０００６】
この発明にかかる誘導灯装置によれば、蓄電池の容量を変えずに点灯時間を長くすることができる。
【図面の簡単な説明】
【０００７】
【図１】実施の形態１における誘導灯装置１００の外観を示す斜視図。
【図２】実施の形態１における誘導灯装置１００の構造を示す分解斜視図。
【図３】実施の形態１における光源アレイ１３１の構造を示す分解斜視図。
【図４】実施の形態１における誘導灯装置１００のブロック構成を示すブロック図。
【図５】実施の形態１における入力部４２０の回路構成を示す回路図。
【図６】実施の形態１における蓄電部４３０及び変換部４４０の回路構成を示す回路図。
【図７】実施の形態１における切替部４５０及び光源部４６０の回路構成を示す回路図。
【図８】実施の形態１における制御部４１０の回路構成を示す回路図。
【図９】実施の形態１における制御部４１０のブロック構成を示すブロック図。
【図１０】実施の形態１における点灯処理Ｓ１０の流れを示すフロー図。
【図１１】実施の形態１における光源１３７を流れる電流を示すタイミング図。
【図１２】実施の形態２における光源１３７を流れる電流を示すタイミング図。
【図１３】実施の形態３における光源１３７を流れる電流を示すタイミング図。
【図１４】実施の形態４における光源１３７を流れる電流を示すタイミング図。
【図１５】実施の形態５における電流検出回路４６３の回路構成を示す回路図。
【図１６】実施の形態５における光源１３７を流れる電流を示すタイミング図。
【発明を実施するための形態】
【０００８】
実施の形態１．
実施の形態１について、図１〜図１１を用いて説明する。
なお、同様の要素が複数ある場合、符号の後ろにアルファベットを付して区別する場合がある。
【０００９】
図１は、この実施の形態における誘導灯装置１００の外観を示す斜視図である。
【００１０】
誘導灯装置１００は、例えば、器具本体１１０と、２つの表示部１２０（１２０ａ，１２０ｂ）と、２つの光源ユニット１３０（１３０ａ，１３０ｂ）とを有する。
器具本体１１０は、ほぼ直方体箱状のケースである。表示部１２０の表面には、避難口や避難通路など避難に必要な情報を表わす図柄が描かれている。表示部１２０は、描かれた図柄が表わす情報を表示する情報表示部である。表示部１２０ａは、器具本体１１０の一方の側面に取り付けられている。表示部１２０ｂは、器具本体１１０の、表示部１２０ａとは反対側の側面に取り付けられている。光源ユニット１３０は、光源を有する。光源ユニット１３０は、例えば高出力白色ＬＥＤを光源として有するＬＥＤユニットである。光源ユニット１３０ａは、表示部１２０ａの上側に隣接して設けられている。光源ユニット１３０ｂは、表示部１２０ｂの上側に隣接して設けられている。光源ユニット１３０ａは、器具本体１１０または表示部１２０ａに取り付けられている。光源ユニット１３０ｂは、器具本体１１０または表示部１２０ｂに取り付けられている。光源ユニット１３０ａの光源が発した光は、表示部１２０ａに入射する。表示部１２０ａは、入射した光を拡散して、表面に描かれた図柄全体を内側からほぼ均一の明るさで照らす。光源ユニット１３０ｂの光源が発した光は、表示部１２０ｂに入射する。表示部１２０ｂは、入射した光を拡散して、表面に描かれた図柄全体を内側からほぼ均一の明るさで照らす。
【００１１】
図２は、この実施の形態における誘導灯装置１００の構造を示す分解斜視図である。
【００１２】
器具本体１１０は、表示部１２０ａ及び表示部１２０ｂが取り付けられる側面のほぼ全面が開口している。器具本体１１０は、例えば、点灯制御部１４０と、状態表示部１５０と、電源端子台１６０とを内蔵している。
光源ユニット１３０は、光源アレイ１３１を内蔵している。光源アレイ１３１は、１つ以上の光源を有する。光源アレイ１３１は、例えば高出力白色ＬＥＤを光源として有するＬＥＤアレイである。
点灯制御部１４０は、光源アレイ１３１に対して、光源を点灯するための電力を供給する。点灯制御部１４０は、商用電源などの外部電源から供給される電力を変換して、光源アレイ１３１の光源を点灯するとともに、蓄電池を充電する。蓄電池は、例えば、点灯制御部１４０が内蔵する構成であってもよいし、点灯制御部１４０の外部に設置し、点灯制御部１４０に接続される構成であってもよい。外部電源からの電力供給が停止すると、点灯制御部１４０は、蓄電池に蓄積された電力を変換して、光源アレイ１３１の光源を点灯する。
【００１３】
状態表示部１５０は、誘導灯装置１００に対する操作を受け付ける。状態表示部１５０は、入力した操作にしたがって、誘導灯装置１００の状態を表示する。図示していないが、状態表示部１５０は、例えば、モニタと、操作用スイッチとを有する。
モニタは、外部から見える位置に設けられている。モニタは、例えば器具本体１１０の下面側に設けられている。モニタは、例えば複数の低出力単色ＬＥＤを有する。複数の低出力単色ＬＥＤは、例えば、赤、緑、黄など、それぞれ異なる色で発光する。モニタは、例えば、蓄電池が十分に充電されているか否か、誘導灯装置１００の構成部品の状態、平常時動作か停電時動作かなど誘導灯装置１００の動作状態などを表示する。
操作用スイッチは、外部から操作可能なスイッチである。操作用スイッチは、例えば器具本体１１０の下面側に設けられている。使用者は、操作用スイッチを操作することにより、例えば、モニタが表示する表示内容を切り替える。
【００１４】
電源端子台１６０は、図示していない外部電源線と内部電源線とを接続する。外部電源線は、外部電源に接続されている。内部電源線は、点灯制御部１４０に接続されている。外部電源から供給される電力は、外部電源線、電源端子台１６０及び内部電源線を介して、点灯制御部１４０に入力される。これにより、誘導灯装置１００設置時の接続作業が容易になる。
【００１５】
図３は、この実施の形態における光源アレイ１３１の構造を示す分解斜視図である。
【００１６】
光源アレイ１３１は、例えば、コネクタ１３２と、基板１３３と、熱伝導シート１３４と、絶縁板１３５と、ランプホルダ１３６と、光源１３７と、ネジ１３８とを有する。基板１３３は、例えばプリント配線板であり、コネクタ１３２や光源１３７などが実装されている。光源１３７は、例えば、点滅応答性が優れ、点滅を繰り返しても長寿命で、高出力のＬＥＤである。光源１３７が複数ある場合、複数の光源１３７は、例えば互いに直列に電気接続している。コネクタ１３２には、例えば、図示していないハーネスの一端を接続する。ハーネスの他端は、点灯制御部１４０に接続する。光源１３７は、ハーネスやコネクタ１３２を介して点灯制御部１４０から供給される電力により点灯する。熱伝導シート１３４は、熱伝導率の高い材料で形成されている。熱伝導シート１３４は、基板１３３と絶縁板１３５との間に挟まれ、基板１３３及び絶縁板１３５と密着する。絶縁板１３５は、絶縁性材料で形成されている。ランプホルダ１３６は、例えば金属など熱伝導率の高い材料で形成されている。ランプホルダ１３６の外側の面は、誘導灯装置１００の外部に露出する。ネジ１３８は、基板１３３とランプホルダ１３６との間に、熱伝導シート１３４と絶縁板１３５とを挟んだ状態で、基板１３３をランプホルダ１３６に固定する。光源１３７で発生した熱は、基板１３３、熱伝導シート１３４及び絶縁板１３５を介してランプホルダ１３６に伝わり、ランプホルダ１３６から外部に放熱される。
このように、光源アレイ１３１がモジュール構成となっているので、誘導灯装置１００の製造工程における組立性が高い。また、光源１３７が寿命になり、あるいは故障した場合における交換作業が容易になる。
【００１７】
図４は、この実施の形態における誘導灯装置１００のブロック構成を示すブロック図である。
【００１８】
誘導灯装置１００は、外部電源２５０から電力の供給を受ける。誘導灯装置１００は、点灯信号発生装置２５１から点灯信号を入力する。点灯信号は、平常時において、誘導灯装置１００を点灯するか消灯するかを指示する信号である。なお、平常時とは、外部電源２５０から電力が供給されている場合をいう。これに対し、外部電源２５０からの電力供給が停止している場合を、停電時という。
誘導灯装置１００は、例えば、制御部４１０と、入力部４２０と、蓄電部４３０と、変換部４４０と、切替部４５０と、光源部４６０とを有する。
制御部４１０は、点灯制御部１４０や状態表示部１５０などによって構成されている。制御部４１０は、誘導灯装置１００全体を制御する。
入力部４２０は、電源端子台１６０や点灯制御部１４０などによって構成されている。入力部４２０は、外部電源２５０から電力が供給されているか否かを判定し、停電判定信号を出力する。停電判定信号は、外部電源２５０から電力が供給されているか否かを表わす。外部電源２５０から電力が供給されている場合、入力部４２０は、外部電源２５０から供給された電力を、光源１３７を点灯し、あるいは蓄電池を充電する電力に変換する。
蓄電部４３０は、点灯制御部１４０などによって構成されている。蓄電部４３０は、蓄電池を有する。蓄電池は、既に説明したように、平常時において、外部電源２５０から供給される電力を蓄え、停電時において、光源１３７を点灯させる電力を供給する。外部電源２５０から電力が供給されている場合、蓄電部４３０は、入力部４２０から供給された電力で蓄電池を充電する。蓄電部４３０は、蓄電池に十分な電力が蓄えられているか否かを表わす信号を出力する。例えば、蓄電部４３０は、蓄電池電圧検出信号を出力する。蓄電池電圧検出信号は、蓄電池の両端電圧を表わす。蓄電池の両端電圧が所定の閾値より高ければ、蓄電池に十分な電力が蓄えられていることを表わし、蓄電池の両端電圧が所定の閾値より低ければ、蓄電池に蓄えられた電力が不十分であることを表わす。
【００１９】
変換部４４０は、点灯制御部１４０などによって構成されている。変換部４４０は、停電時において、蓄電部４３０の蓄電池に蓄えられた電力を、光源１３７を点灯させる電力に変換する。
切替部４５０は、点灯制御部１４０などによって構成されている。切替部４５０は、光源部４６０に対して供給する電力の供給元を切り替える。切替部４５０は、平常時において、入力部４２０が変換した電力を、光源部４６０に対して供給する。切替部４５０は、停電時において、変換部４４０が変換した電力を、光源部４６０に対して供給する。
光源部４６０は、光源ユニット１３０などによって構成されている。光源部４６０は、光源１３７や基板１３３によって形成されている光源回路に対して、入力部４２０や変換部４４０から切替部４５０を介して供給される電力を供給し、光源１３７を点灯させる。光源部４６０は、光源１３７を流れる電流の値を検出し、フィードバック信号を出力する。フィードバック信号は、検出した電流の値が目標電流値より大きいか小さいかを表わす。目標電流値は、光源１３７を点灯させる明るさに基づいて設定される。光源部４６０が出力したフィードバック信号に基づいて、入力部４２０や変換部４４０は、光源１３７を流れる電流が目標電流値に一致するように動作する。
【００２０】
図５は、この実施の形態における入力部４２０の回路構成を示す回路図である。
【００２１】
外部電源２５０は、例えば、交流商用電源２５２を有する。交流商用電源２５２は、例えば、公称電圧１００Ｖ（ボルト）、周波数５０Ｈｚ（ヘルツ）〜６０Ｈｚの交流電力を供給する。
点灯信号発生装置２５１は、例えば、遠隔操作スイッチ２５３を有する。点灯信号は、遠隔操作スイッチ２５３のオンオフにより表わされる。例えば、遠隔操作スイッチ２５３がオンの場合、消灯を指示する点灯信号を表わし、遠隔操作スイッチ２５３がオフの場合、点灯を指示する点灯信号を表わす。
【００２２】
誘導灯装置１００は、一対の電力入力線２２０，２２１と、点灯信号入力線２０１とを有する。電力入力線２２０は、外部電源２５０の一端、及び、点灯信号発生装置２５１の一端に電気接続している。電力入力線２２１は、外部電源２５０の他端に電気接続している。点灯信号入力線２０１は、点灯信号発生装置２５１の他端に電気接続している。外部電源２５０から供給される電力は、一対の電力入力線２２０，２２１を介して、入力部４２０に入力される。誘導灯装置１００は、電力入力線２２１と点灯信号入力線２０１との間のインピーダンスによって、遠隔操作スイッチ２５３の状態を判定する。
【００２３】
入力部４２０は、例えば、ダイオードブリッジ４２１と、平滑コンデンサ４２３と、直流直流変換回路４２２と、電圧検出回路４２６とを有する。
ダイオードブリッジ４２１は、ダイオード（整流素子）を４つブリッジ接続した回路である。ダイオードブリッジ４２１は、外部電源２５０から供給される交流電力の電圧波形を全波整流して脈流にする。
平滑コンデンサ４２３は、ダイオードブリッジ４２１の出力を平滑化する。
電圧検出回路４２６は、平滑コンデンサ４２３の両端電圧を検出して、入力電圧検出信号を出力する。入力電圧検出信号は、例えば、電圧検出回路４２６が検出した電圧の値に比例する電圧値を有する。入力電圧検出信号は、停電判定信号の例である。電圧検出回路４２６は、停電判定信号線２０２を介して、入力電圧検出信号を出力する。
【００２４】
直流直流変換回路４２２は、平滑コンデンサ４２３が平滑化した電力を、電圧値が安定した直流電力に変換する。直流直流変換回路４２２が変換した変換後の直流電力の電圧値は、例えば、数十Ｖである。直流直流変換回路４２２は、例えばフライバックコンバータ回路などの絶縁型スイッチング電源回路である。なお、直流直流変換回路４２２は、バックコンバータ回路などの非絶縁型スイッチング電源回路であってもよい。直流直流変換回路４２２は、電圧検出回路４２６が出力した入力電圧検出信号を入力する。直流直流変換回路４２２は、フィードバック信号線２０４を介して、光源部４６０からのフィードバック信号を入力する。直流直流変換回路４２２は、入力電圧検出信号とフィードバック信号とに基づいて動作する。停電時であることを入力電圧検出信号が表わす場合、直流直流変換回路４２２は、動作を停止する。平常時であることを入力電圧検出信号が表わす場合、直流直流変換回路４２２は、動作を開始し、フィードバック信号に基づいて、出力する直流電力の電圧値を調整する。光源１３７を流れる電流の値が目標電流値より大きいことをフィードバック信号が表わす場合、直流直流変換回路４２２は、出力する直流電力の電圧値を小さくして、光源１３７を流れる電流を小さくする。光源１３７を流れる電流の値が目標電流値より小さいことをフィードバック信号が表わす場合、直流直流変換回路４２２は、出力する直流電力の電圧値を大きくして、光源１３７を流れる電流を大きくする。直流直流変換回路４２２は、電源線２２２を介して、変換した直流電力を出力する。
【００２５】
図６は、この実施の形態における蓄電部４３０及び変換部４４０の回路構成を示す回路図である。
【００２６】
蓄電部４３０は、例えば、充電回路４３５と、蓄電池４３４と、蓄電池電圧検出回路４３３とを有する。
充電回路４３５は、電源線２２２を介して、入力部４２０が出力した直流電力の一部を入力する。充電回路４３５は、入力した直流電力を、蓄電池４３４を充電するための電力に変換する。充電回路４３５は、例えば、蓄電池４３４を充電する充電電流の値が所定の値になるよう、蓄電池４３４に印加する電圧を調整する。
蓄電池４３４は、電力を蓄積する二次電池である。平常時において、蓄電池４３４は、充電回路４３５が出力した電力によって充電される。停電時において、蓄電池４３４は、電源線２２３を介して、蓄積した電力を出力する。蓄電池４３４は、停電時などの非常時に電力を供給する非常用電源である。
蓄電池電圧検出回路４３３は、蓄電池４３４の両端電圧を検出して、蓄電池電圧検出信号を出力する。蓄電池電圧検出信号は、例えば、蓄電池電圧検出回路４３３が検出した蓄電池４３４の両端電圧に比例する電圧値を有する。蓄電池電圧検出信号は、充電完了検出信号の例である。蓄電池電圧検出回路４３３は、充電完了検出信号線２０５を介して、蓄電池電圧検出信号を出力する。
【００２７】
変換部４４０は、例えば、直流直流変換回路４４１を有する。
直流直流変換回路４４１は、非常時において、電源線２２３を介して、蓄電池４３４に蓄積された電力を入力する。直流直流変換回路４４１は、入力した電力を、光源１３７を点灯させる電力に変換する。直流直流変換回路４４１が変換した変換後の電力は、例えば、蓄電池４３４の両端電圧より高い電圧値を有する直流電力である。
直流直流変換回路４４１は、電源切替信号線２０６を介して、電源切替信号を入力する。電源切替信号は、制御部４１０が出力する信号である。電源切替信号は、光源１３７を点灯させる電力の供給元を、外部電源２５０にするか、蓄電部４３０にするかの指示を表わす。また、直流直流変換回路４４１は、フィードバック信号線２０４を介して、フィードバック信号を入力する。直流直流変換回路４４１は、電源切替信号とフィードバック信号とに基づいて動作する。電力の供給元を外部電源２５０にする指示を電源切替信号が表わす場合、直流直流変換回路４４１は、動作を停止する。電力の供給元を蓄電部４３０にする指示を電源切替信号が表わす場合、直流直流変換回路４４１は、動作を開始し、フィードバック信号に基づいて、出力する電力の電圧値を調整する。光源１３７を流れる電流の値が目標電流値より大きいことをフィードバック信号が表わす場合、直流直流変換回路４４１は、出力する直流電力の電圧値を小さくして、光源１３７を流れる電流を小さくする。光源１３７を流れる電流の値が目標電流値より小さいことをフォードバック信号が表わす場合、直流直流変換回路４４１は、出力する直流電力の電圧値を大きくして、光源１３７を流れる電流を大きくする。直流直流変換回路４４１は、電源線２２４を介して、変換した直流電力を出力する。
【００２８】
図７は、この実施の形態における切替部４５０及び光源部４６０の回路構成を示す回路図である。
【００２９】
切替部４５０は、例えば、スイッチ４５１を有する。
切替部４５０において、電源線２２４は、電源線２２５と電気接続している。電源線２２２は、スイッチ４５１を介して、電源線２２５と電気接続している。
スイッチ４５１は、電源切替信号線２０６を介して、電源切替信号を入力する。スイッチ４５１は、電源切替信号に基づいてオンオフする。
電力の供給元を外部電源２５０にする指示を電源切替信号が表わす場合、スイッチ４５１は、オンになる。これにより、直流直流変換回路４２２が出力した電力が、電源線２２２，２２５を介して、光源部４６０に対して供給される。
電力の供給元を蓄電部４３０にする指示を電源切替信号が表わす場合、スイッチ４５１は、オフになる。直流直流変換回路４４１が動作して出力した電力が、電源線２２４，２２５を介して、光源部４６０に対して供給される。スイッチ４５１がオフになることにより、直流直流変換回路４４１が出力した電力が、電源線２２４，２２２を介して、充電回路４３５に供給されるのを防ぐ。
【００３０】
光源部４６０は、例えば、点灯回路４６１と、光源回路４７０とを有する。
光源回路４７０は、例えば、２つの光源直列回路４７１（４７１ａ，４７１ｂ）を直列に電気接続した回路である。光源直列回路４７１ａは、光源ユニット１３０ａの光源１３７や基板１３３によって構成されている。光源直列回路４７１ｂは、光源ユニット１３０ｂの光源１３７や基板１３３によって構成されている。光源直列回路４７１は、例えば、複数の光源１３７を直列に電気接続した回路である。
【００３１】
点灯回路４６１は、入力部４２０や変換部４４０から切替部４５０を介して供給された電力を入力する。点灯回路４６１は、入力した電力を、光源回路４７０に対して供給する。点灯回路４６１は、例えば、出力スイッチ４６２と、電流検出回路４６３とを有する。
点灯回路４６１において、電源線２２５は、出力スイッチ４６２を介して、光源回路４７０と接続している。出力スイッチ４６２は、光源オンオフ信号線２００を介して、光源オンオフ信号を入力する。光源オンオフ信号は、制御部４１０が出力する信号である。光源オンオフ信号は、光源１３７を点灯させるか否かの指示を表わす。出力スイッチ４６２は、光源オンオフ信号に基づいて、オンオフする。
光源１３７を点灯させる指示を光源オンオフ信号が表わす場合、出力スイッチ４６２は、光源オンオフ信号に基づいて、オンになる。電源線２２５を介して供給される電力により、光源回路４７０の光源１３７が点灯する。
光源１３７を点灯させない指示を光源オンオフ信号が表わす場合、出力スイッチ４６２は、光源オンオフ信号に基づいて、オフになる。電力が供給されないので、光源回路４７０の光源１３７は点灯しない。
【００３２】
電流検出回路４６３は、光源１３７を流れる電流を検出する。電流検出回路４６３は、フィードバック信号線２０４を介して、フィードバック信号を出力する。フィードバック信号は、例えば、電流検出回路４６３が検出した電流の値に比例する電圧値を有する。電流検出回路４６３が検出した電流の値が目標電流値に一致するとき、フィードバック信号の電圧値は、所定の基準値になる。すなわち、フィードバック信号は、電圧値が基準値より大きい場合、光源１３７を流れる電流の値が目標電流値より大きいことを表わす。逆に、電圧値が基準値より小さい場合、光源１３７を流れる電流の値が目標電流値より小さいことを表わす。
電流検出回路４６３は、例えば、抵抗回路である。電流検出回路４６３は、スイッチ４６４と、２つの抵抗４６６，４６７とを有する。２つの抵抗４６６、４６７は、互いに直列に電気接続している。スイッチ４６４は、抵抗４６６と並列に電気接続している。スイッチ４６４は、電流切替信号線２１０を介して、電流切替信号を入力する。電流切替信号は、目標電流値を表わす。この例における誘導灯装置１００には、２つの目標電流値がある。電流切替信号は、どちらの目標電流値を使うかを表わす。例えば、２つの目標電流値のうち第一の目標電流値を使う場合、スイッチ４６４は、電流切替信号に基づいて、オンになる。抵抗４６６の両端が短絡されるので、フィードバック信号の電圧値は、光源１３７を流れる電流の値と、抵抗４６７の抵抗値との積になる。２つの目標電流値のうち第二の目標電流値を使う場合、スイッチ４６４は、電流切替信号に基づいて、オフになる。フィードバック信号の電圧値は、光源１３７を流れる電流の値と、２つの抵抗４６６，４６７の合成抵抗の値（抵抗４６６，４６７の抵抗値の和）との積になる。光源１３７を流れる電流の値が同じだとすると、スイッチ４６４がオフのときのほうがオンのときよりもフィードバック信号の電圧値が大きくなる。すなわち、第二の目標電流値は、第一の目標電流値よりも小さい。このように、電流検出回路４６３は、電流切替信号に基づいて目標電流値を切り替える機能を有する光源電流設定回路である。
【００３３】
また、点灯回路４６１は、異常検出信号線２０７を介して、異常検出信号を出力する。異常検出信号は、光源１３７に異常が発生したか否かを表わす。この例では、異常検出信号は、フィードバック信号と同じである。すなわち、異常検出信号は、光源１３７を流れる電流の値に比例する電圧値を有する。いずれかの光源１３７が開放故障した場合、光源１３７を流れる電流は０になる。したがって、異常検出信号の電圧値も０になる。また、光源ユニット１３０を接続し忘れた場合も同様である。すなわち、異常検出信号は、電圧値が０である場合に、開放故障などの異常が光源１３７に発生したことを表わす。
【００３４】
図８は、この実施の形態における制御部４１０の回路構成を示す回路図である。
【００３５】
制御部４１０は、例えば、マイコン４１１と、発振回路４１２と、記憶装置４１３と、リモコン受光部４１５と、自己点検スイッチ４１６と、点検スイッチ４１７と、リセットスイッチ４１８と、モニタ４１９とを有する。
リモコン受光部４１５は、状態表示部１５０に備えられている。リモコン受光部４１５は、リモコン信号を受光する。リモコン信号は、図示していないリモコンが、使用者の操作にしたがって生成する信号である。リモコン信号は、使用者による指示を表わす。
自己点検スイッチ４１６は、状態表示部１５０が有する操作用スイッチの一つである。使用者が自己点検スイッチ４１６を操作すると、誘導灯装置１００は、自己点検を開始する。
点検スイッチ４１７は、状態表示部１５０が有する操作用スイッチの一つである。使用者が点検スイッチ４１７を操作すると、誘導灯装置１００は、自己点検の結果やその他の状態をモニタ４１９に表示する。
リセットスイッチ４１８は、状態表示部１５０が有する操作用スイッチの一つである。使用者がリセットスイッチ４１８を操作すると、誘導灯装置１００は、初期化処理をする。例えば、誘導灯装置１００は、光源ユニット１３０の累積点灯時間をリセットする。
モニタ４１９は、状態表示部１５０が有する。モニタ４１９は、既に説明したように、蓄電池４３４の充電状態やその他の状態を表示する。
【００３６】
発振回路４１２は、所定の周波数の発振信号（クロック信号）を生成する。発振回路４１２は、例えば、水晶振動子やセラミック振動子などの発振子を有する。発振回路４１２は、周波数の精度の高い発振信号を発生させる。
記憶装置４１３は、データを記憶する。記憶装置４１３は、例えば不揮発性メモリである。記憶装置４１３が記憶するデータには、マイコン４１１が実行するプログラムも含まれる。
マイコン４１１は、外部から信号を入力する。例えば、マイコン４１１は、点灯信号入力線２０１を介して、点灯信号を入力する。マイコン４１１は、停電判定信号線２０２を介して、停電判定信号を入力する。マイコン４１１は、充電完了検出信号線２０５を介して、充電完了検出信号を入力する。マイコン４１１は、異常検出信号線２０７を介して、異常検出信号を入力する。また、マイコン４１１は、発振回路４１２が生成した発振信号を入力する。マイコン４１１は、自己点検スイッチ４１６や点検スイッチ４１７やリセットスイッチ４１８の状態を表わす信号を入力する。
マイコン４１１は、記憶装置４１３が記憶したプログラムを実行することにより、入力した信号や記憶装置４１３が記憶したデータを処理して、データを生成し、あるいは、信号を出力する。マイコン４１１が生成したデータは、記憶装置４１３が記憶する。マイコン４１１は、電源切替信号を生成し、電源切替信号線２０６を介して出力する。マイコン４１１は、光源オンオフ信号を生成し、光源オンオフ信号線２００を介して出力する。マイコン４１１は、電流切替信号を生成し、電流切替信号線２１０を介して出力する。また、マイコン４１１は、モニタ４１９の表示内容を制御する信号を出力する。
【００３７】
図９は、この実施の形態における制御部４１０のブロック構成を示すブロック図である。
【００３８】
この図に示す機能ブロックは、制御部４１０のマイコン４１１がプログラムを実行することによりソフトウェア的に実現されるものである。しかし、これらの機能ブロックの全部もしくは一部は、専用の回路を設けるなどして、ハードウェア的に実現される構成であってもよい。
【００３９】
制御部４１０は、例えば、異常検出部４８１と、充電完了検出部４８２と、点検部４８３と、点検結果記憶部４８４と、状態通知部４８５と、停電判定部４９１と、電源切替部４９２と、計時部４９３と、電流切替部４９４と、点灯判定部４９５と、光源オンオフ部４９６とを有する。
【００４０】
異常検出部４８１は、異常検出信号に基づいて、光源１３７に異常があるか否かを検出する。
充電完了検出部４８２は、充電完了信号に基づいて、蓄電池４３４の充電が完了しているか否かを検出する。
点検部４８３は、リモコン受光部４１５が受光したリモコン信号や自己点検スイッチ４１６の状態などに基づいて、点検を開始するか否かを判定する。点検を開始する場合、点検部４８３は、停電状態を模擬して、光源１３７の点灯時間などを測定する。例えば、測定した点灯時間が、法令で定められた所定の法定点灯時間より短い場合、点検部４８３は、蓄電池４３４の交換が必要であると判定する。
点検結果記憶部４８４は、記憶装置４１３を用いて、点検部４８３による点検結果を記憶する。
状態通知部４８５は、モニタ４１９を用いて、リモコン受光部４１５が受光したリモコン信号や点検スイッチ４１７の状態などに基づいて、誘導灯装置１００の状態を表示する。例えば、状態通知部４８５は、充電完了検出部４８２の検出結果に基づいて、蓄電池４３４の充電が完了しているか否かを表示する。また、状態通知部４８５は、点検結果記憶部４８４が記憶した点灯結果に基づいて、蓄電池４３４の交換が必要であるか否かを表示する。
【００４１】
停電判定部４９１は、停電判定信号に基づいて、停電か否かを判定する。なお、点検部４８３が点検を開始すると判定した場合、停電判定部４９１は、停電判定信号にかかわらず、停電であると判定する。これにより、停電状態を模擬することができる。
電源切替部４９２は、停電判定部４９１の判定結果に基づいて、電源切替信号を生成する。
計時部４９３は、停電であると停電判定部４９１が判定した場合に、発振信号に基づいて、停電になってからの経過時間を計測するタイマーである。
電流切替部４９４は、停電判定部４９１の判定結果や、計時部４９３が計測した経過時間などに基づいて、電流切替信号を生成する。例えば、電流切替部４９４は、平常時において、第一の目標電流値を指示する電流切替信号を生成し、停電時において、第二の目標電流値を指示する電流切替信号を生成する。
点灯判定部４９５は、点灯信号や、異常検出部４８１の検出結果や、停電判定部４９１の判定結果に基づいて、光源１３７を点灯させるか否かを判定する。停電であると停電判定部４９１が判定した場合、点灯判定部４９５は、光源１３７を点灯させると判定する。停電でないと停電判定部４９１が判定し、光源１３７の異常を異常検出部４８１が検出した場合、点灯判定部４９５は、光源１３７を消灯させると判定する。停電でなく、光源１３７の異常もない場合、点灯判定部４９５は、点灯信号にしたがって、光源１３７を点灯させるか否かを判定する。
【００４２】
光源オンオフ部４９６は、点灯判定部４９５の判定結果や、計時部４９３が計測した経過時間などに基づいて、光源オンオフ信号を生成する。
光源１３７を点灯させないと点灯判定部４９５が判定した場合、光源オンオフ部４９６は、出力スイッチ４６２を継続してオフにする光源オンオフ信号を生成する。これにより、光源１３７は消灯する。
【００４３】
光源１３７を点灯させると点灯判定部４９５が判定した場合、光源オンオフ部４９６は、計時部４９３が計測した経過時間に基づいて、光源オンオフ信号を生成する。
停電になってからの経過時間が所定の基準時間より短い場合、光源オンオフ部４９６は、出力スイッチ４６２を継続してオンにする光源オンオフ信号を生成する。これにより、光源１３７は継続して点灯する。
停電になってからの経過時間が基準時間より長い場合、光源オンオフ部４９６は、出力スイッチ４６２を周期的にオンオフする光源オンオフ信号を生成する。光源オンオフ信号の周波数は、例えば、２Ｈｚ〜１０Ｈｚである。また、光源オンオフ信号のオンデューティは、例えば、１０％〜７０％である。これにより、光源１３７は、１秒間に２回から１０回の頻度で点滅する。
なお、停電でない場合、計時部４９３が計測する停電になってからの経過時間は０である。したがって、光源オンオフ部４９６は、停電になってからの経過時間が所定の基準時間より短いと判定する。これにより、光源１３７は継続して点灯する。
【００４４】
図１０は、この実施の形態における点灯処理Ｓ１０の流れを示すフロー図である。
【００４５】
点灯処理Ｓ１０において、制御部４１０は、光源１３７を点灯あるいは消灯させる。点灯処理Ｓ１０は、例えば、停電判定工程Ｓ１１と、点灯判定工程Ｓ１２と、点灯工程Ｓ１３と、消灯工程Ｓ１４と、切替工程Ｓ１５と、経過時間判定工程Ｓ１６と、点滅工程Ｓ１７とを有する。
【００４６】
停電判定工程Ｓ１１において、停電判定部４９１は、停電か否かを判定する。停電であると判定した場合（点検の場合も含む。）は切替工程Ｓ１５へ進む。停電でないと判定した場合は点灯判定工程Ｓ１２へ進む。
点灯判定工程Ｓ１２において、点灯判定部４９５は、光源１３７を点灯させるか否かを判定する。点灯すると判定した場合は点灯工程Ｓ１３へ進む。点灯させないと判定した場合は消灯工程Ｓ１４へ進む。
点灯工程Ｓ１３において、電源切替部４９２は、入力部４２０からの電力を光源部４６０に供給することを指示する電源切替信号を生成する。光源オンオフ部４９６は、光源１３７を点灯することを指示する光源オンオフ信号を生成する。これにより、入力部４２０からの電力が光源部４６０に供給され、光源１３７が継続して点灯する。制御部４１０は、停電判定工程Ｓ１１に戻る。
消灯工程Ｓ１４において、光源オンオフ部４９６は、光源１３７を消灯させることを指示する光源オンオフ信号を生成する。これにより、光源部４６０には電力が供給されず、光源１３７が消灯する。制御部４１０は、停電判定工程Ｓ１１に戻る。
【００４７】
切替工程Ｓ１５において、電源切替部４９２は、変換部４４０からの電力を光源部４６０に供給することを指示する電源切替信号を生成する。光源オンオフ部４９６は、光源１３７を点灯させることを指示する光源オンオフ信号を生成する。これにより、変換部４４０からの電力が光源部４６０に供給され、光源１３７が継続して点灯する。計時部４９３は、経過時間の計測を開始する。
【００４８】
経過時間判定工程Ｓ１６において、光源オンオフ部４９６は、計時部４９３が計測した経過時間が基準時間に達したか否かを判定する。経過時間が基準時間に達するまで、経過時間判定工程Ｓ１６を繰り返す。経過時間が基準時間を超えた場合、点滅工程Ｓ１７へ進む。
【００４９】
点滅工程Ｓ１７において、光源オンオフ部４９６は、光源１３７を点灯させることを指示する光源オンオフ信号を生成する。光源オンオフ部４９６は、所定のオン時間が経過するのを待つ。オン時間は、例えば０．２秒である。オン時間が経過した場合、光源オンオフ部４９６は、光源１３７を消灯させることを指示する光源オンオフ信号を生成する。光源オンオフ部４９６は、所定のオフ時間が経過するのを待つ。オフ時間は、例えば０．３秒である。オフ時間が経過した場合、光源オンオフ部４９６は、再び、光源１３７を点灯することを指示する光源オンオフ信号を生成する。光源オンオフ部４９６は、これを繰り返す。
【００５０】
蓄電池４３４に蓄積された電力を使い切ると、誘導灯装置１００は動作を停止し、点灯処理Ｓ１０は終了する。
【００５１】
なお、点滅工程Ｓ１７において、光源オンオフ部４９６は、蓄電池４３４に蓄積された電力が残りわずかである場合に、光源１３７を消灯させることを指示する光源オンオフ信号を生成する構成であってもよい。例えば、光源オンオフ部４９６は、蓄電池電圧検出信号の電圧値が所定の閾値より小さい場合に、蓄電池４３４に蓄積された電力が残りわずかであると判定する。光源オンオフ部４９６は、判定結果に基づいて、光源１３７を消灯させることを指示する光源オンオフ信号を生成する。そうすれば、光源１３７を消灯させたのちもマイコン４１１が動作を続けることができるので、光源１３７の累積点灯時間の更新など必要な処理をすることができる。
【００５２】
また、点滅工程Ｓ１７を実行中に、外部電源２５０からの電力供給が再開した場合は、停電判定工程Ｓ１１に戻り、平常時の動作に復帰する構成であってもよい。
【００５３】
図１１は、この実施の形態における光源１３７を流れる電流を示すタイミング図である。
横軸は、停電が開始してからの経過時間を示す。縦軸は、光源１３７を流れる電流の瞬時値を示す。
【００５４】
停電が開始してから基準時間３０１が経過するまでの間は、光源１３７を所定の目標電流値３１１の電流が流れる。基準時間３０１は、法令で定められた所定の法定点灯時間（例えば２０分あるいは６０分）と同じか、それよりも長い時間に設定する。また、目標電流値３１１は、表示部１２０が法定の明るさで光る値に設定する。これにより、法定点灯時間内は、表示部１２０が法定の明るさで連続して光る。
【００５５】
基準時間３０１が経過したのちは、光源１３７を目標電流値３１１の電流が流れる期間と、光源１３７を電流が流れない期間とを繰り返す。これにより、光源１３７を流れる電流の平均値３１２は小さくなる。その分、消費電力が小さくなるので、基準時間３０１経過後の点灯時間３０２は、光源１３７を継続して点灯させる場合の点灯時間３０３よりも長くなる。
光源１３７を点滅させる周波数は、２Ｈｚ〜１０Ｈｚなので、これを見た人は、ちらつきを感じる。ちらつきは、通常の室内照明では好ましい現象ではないが、非常時で急いで避難しなければいけない場合には、誘導灯装置１００が目立つことになる。また、停電開始から基準時間３０１が経過し、もうすぐ誘導灯装置１００が消えてしまうことが伝わるので、大至急避難しなければならないことを認識させることができる。
【００５６】
「ＬＥＤ灯火の見え方に関する調査研究」（福住克保他．２００８年．海上保安試験研究センター航行援助技術課．ｈｔｔｐ：／／ｗｗｗ．ｋａｉｈｏ．ｍｌｉｔ．ｇｏ．ｊｐ／ｓｙｏｕｋａｉ／ｓｏｓｈｉｋｉ／ｓｏｕｍｕ／ｓｅｉｋａ／ｈ２０／ｈ２０＿０３．ｐｄｆ．）では、航路標識用灯火において、周波数６Ｈｚ〜１０Ｈｚ、デューティ比１０％〜７０％でフリッカ点灯させると、連続点灯させた場合よりも目立つことが報告されている。
しかし、航路標識用灯火は、数ｋｍ離れた遠方から観察するものであるのに対し、誘導灯装置は、停電で真っ暗な室内において、誘導灯装置しか明かりがない状態で観察するものであるから、同列に論じることはできない。
【００５７】
そこで、誘導灯装置に最適な周波数及びデューティ比を検討したところ、周波数２Ｈｚ〜１０Ｈｚ、デューティ比１０％〜７０％が好ましいという結論に達した。特に、周波数が低いほどちらつきが目立つため、上述した周波数のなかでも、特に２Ｈｚ〜３Ｈｚの周波数を使うことが好ましい。その場合、誘導灯装置１００の視認性が更に向上する。
【００５８】
誘導灯装置１００の視認性が高いことにより、例えば中小規模の店舗や施設など、店舗や施設の中の通路が比較的狭く、あるいは、店舗や施設の中の見通しが比較的悪く、あるいは、煙が充満しやすい場所であっても、誘導灯装置１００を発見しやすくなり、長時間にわたって確実な避難誘導を行うことができる。
【００５９】
「Ｇｕｉｄａｎｃｅ  ｆｏｒ  ｔｈｅ  ｒｅｄｕｃｔｉｏｎ  ｏｆ  ｐｈｏｔｏｓｅｎｓｉｔｉｖｅ  ｅｐｉｌｅｐｔｉｃ  ｓｅｉｚｕｒｅｓ  ｃａｕｓｅｄ  ｂｙ  ｔｅｌｅｖｉｓｉｏｎ（テレビによる光感受性発作予防に関するガイドライン）」（ＩＴＵ（国際電気通信連合）．２００５年．Ｒｅｃｏｍｍｅｎｄａｔｉｏｎ  ＩＴＵ−Ｒ  ＢＴ．１７０２．ｈｔｔｐ：／／ｗｗｗ．ｉｔｕ．ｉｎｔ／ｄｍｓ＿ｐｕｂｒｅｃ／ｉｔｕ−ｒ／ｒｅｃ／ｂｔ／Ｒ−ＲＥＣ−ＢＴ．１７０２−０−２００５０２−Ｉ！！ＰＤＦ−Ｅ．ｐｄｆ．）では、テレビなどの映像を高い周波数でフラッシュさせると、光感受性発作が発生する可能性があるため、そのような映像表現は避けるべきことが報告されている。
【００６０】
テレビと誘導灯装置とでは使用環境が異なるので、これも同列に論じることはできない。しかし、２Ｈｚ〜３Ｈｚの周波数であれば、光感受性発作の発生を回避できる。この点から見ても、点滅周波数は、２Ｈｚ〜３Ｈｚであることが好ましい。
【００６１】
なお、光源１３７を点滅させる周波数やオンデューティを変えられる構成であってもよい。例えば、リモコン受光部４１５が、光源１３７を点滅させる周波数やオンデューティを指示するリモコン信号を受光する。光源オンオフ部４９６は、リモコン信号によって指示された周波数やオンデューティに基づいて、オン時間及びオフ時間を算出する。光源オンオフ部４９６は、記憶装置４１３を用いて、算出したオン時間及びオフ時間を記憶しておく。点滅工程Ｓ１７において、光源オンオフ部４９６は、記憶しておいたオン時間及びオフ時間に基づいて、光源オンオフ信号を生成する。これにより、使用者がリモコン操作によって設定した周波数やオンデューティで、光源１３７を点滅させることができる。なお、光源１３７を点滅させる周波数やオンデューティは、リモコン操作によって指示するのではなく、状態表示部１５０の操作用スイッチを特定のパターンで操作することにより指示する構成であってもよい。
【００６２】
実施の形態２．
実施の形態２について、図１２を用いて説明する。
なお、実施の形態１と共通する部分については、同一の符号を付し、説明を省略する。
【００６３】
この実施の形態における誘導灯装置１００の外観、構造、構成は、実施の形態１と同様である。この実施の形態における誘導灯装置１００は、基準時間３０１が経過した後において光源１３７を点灯させる方式が、実施の形態１と異なる。
【００６４】
制御部４１０は、基準時間３０１が経過したのち、光源１３７を点滅させるのではなく、光源１３７を点灯させる明るさとして、２つの明るさを設ける。制御部４１０は、光源１３７を、点灯→消灯→点灯→消灯とするのではなく、明→暗→明→暗と明るさを変化させる。
【００６５】
点灯処理Ｓ１０の流れは、実施の形態１と同様なので、図１０を参照して説明する。
【００６６】
切替工程Ｓ１５において、電源切替部４９２は、変換部４４０からの電力を光源部４６０に供給することを指示する電源切替信号を生成する。光源オンオフ部４９６は、光源１３７を点灯させることを指示する光源オンオフ信号を生成する。電流切替部４９４は、目標電流値を第一の目標電流値とする電流切替信号を生成する。
【００６７】
点滅工程Ｓ１７において、光源オンオフ部４９６は、光源１３７を点灯させることを指示する光源オンオフ信号を生成する。これは、点灯処理Ｓ１０が終わるまで継続する。電流切替部４９４は、目標電流値を第一の目標電流値とする電流切替信号を生成する。電流切替部４９４は、所定のオン時間が経過するのを待つ。オン時間が経過した場合、電流切替部４９４は、目標電流値を第二の目標電流値とする電流切替信号を生成する。なお、第二の目標電流値は、第一の目標電流値よりも小さいものとする。光源オンオフ部４９６は、所定のオフ時間が経過するのを待つ。オフ時間が経過した場合、電流切替部４９４は、再び、目標電流値を第一の目標電流値とする電流切替信号を生成する。電流切替部４９４は、これを繰り返す。
【００６８】
図１２は、この実施の形態における光源１３７を流れる電流を示すタイミング図である。
【００６９】
停電が開始してから基準時間３０１が経過するまでの間は、光源１３７を第一の目標電流値３１１の電流が流れる。
基準時間３０１が経過したのちは、光源１３７を第一の目標電流値３１１の電流が流れる期間と、光源１３７を第二の目標電流値３１３の電流が流れる期間とを繰り返す。これにより、光源１３７を流れる電流の平均値３１２は小さくなる。その分、消費電力が小さくなるので、基準時間３０１経過後の点灯時間３０２は、光源１３７を継続して点灯させる場合よりも長くなる。
【００７０】
なお、第二の目標電流値３１３を０に設定すれば、実施の形態１で説明した例と同じく、光源１３７が点滅する。すなわち、実施の形態１で説明した、光源１３７を点滅させる方式は、この実施の形態で説明した方式の特別な場合と見ることができる。
【００７１】
実施の形態３．
実施の形態３について、図１３を用いて説明する。
なお、実施の形態１または実施の形態２と共通する部分については、同一の符号を付し、説明を省略する。
【００７２】
この実施の形態における誘導灯装置１００の外観、構造、構成は、実施の形態１と同様である。この実施の形態における誘導灯装置１００は、基準時間３０１が経過した後において光源１３７を点灯させる方式が、実施の形態１と異なる。
【００７３】
制御部４１０は、基準時間３０１が経過したのち、光源１３７を点滅させる。ただし、光源１３７を点灯させるときの明るさを、基準時間３０１が経過する前よりも明るくする。
【００７４】
点灯処理Ｓ１０の流れは、実施の形態１と同様なので、図１０を参照して説明する。
【００７５】
切替工程Ｓ１５において、電源切替部４９２は、変換部４４０からの電力を光源部４６０に供給することを指示する電源切替信号を生成する。光源オンオフ部４９６は、光源１３７を点灯させることを指示する光源オンオフ信号を生成する。電流切替部４９４は、目標電流値を第一の目標電流値とする電流切替信号を生成する。
【００７６】
点滅工程Ｓ１７において、電流切替部４９４は、目標電流値を第二の目標電流値とする電流切替信号を生成する。これは、点灯処理Ｓ１０が終わるまで継続する。なお、第二の目標電流値は、第一の目標電流値よりも大きいものとする。例えば、図７で説明したスイッチ４６４は、実施の形態１とは逆に、電流切替信号により目標電流値を第一の目標電流値とすることを指示された場合オフになり、目標電流値を第二の目標電流値とすることを指示された場合オンになる。
光源オンオフ部４９６は、光源１３７を点灯させることを指示する光源オンオフ信号を生成する。光源オンオフ部４９６は、オン時間が経過するのを待つ。オン時間が経過した場合、光源オンオフ部４９６は、光源１３７を消灯させることを指示する光源オンオフ信号を生成する。光源オンオフ部４９６は、オフ時間が経過するのを待つ。オフ時間が経過した場合、光源オンオフ部４９６は、再び、光源１３７を点灯させることを指示する光源オンオフ信号を生成する。光源オンオフ部４９６は、これを繰り返す。
【００７７】
図１３は、この実施の形態における光源１３７を流れる電流を示すタイミング図である。
【００７８】
停電が開始してから基準時間３０１が経過するまでの間は、光源１３７を第一の目標電流値３１１の電流が流れる。
基準時間３０１が経過したのちは、光源１３７を第二の目標電流値３１４の電流が流れる期間と、光源１３７を電流が流れない期間とを繰り返す。第二の目標電流値３１４は、第一の目標電流値３１１よりも大きいが、第二の目標電流値３１４に対する第一の目標電流値３１１の比よりも、オンデューティが小さければ、光源１３７を流れる電流の平均値３１２は小さくなる。その分、消費電力が小さくなるので、基準時間３０１経過後の点灯時間３０２は、光源１３７を継続して点灯する場合よりも長くなる。
【００７９】
また、基準時間３０１が経過したのちにおいて、光源１３７を点灯するときの明るさが、基準時間３０１が経過する前よりも明るいので、誘導灯装置１００の視認性が更に向上する。
特に、火災発生時には、時間が経過するほど煙が充満するなどして、誘導灯装置１００が見えにくくなる可能性がある。基準時間３０１が経過したのち誘導灯装置１００の視認性を更に向上させることにより、逃げ遅れた人の避難を容易にすることができる。
【００８０】
光源１３７に流すことができる最大電流は、一般に、連続点灯時よりも点滅時のほうが大きい。このため、点滅時は、連続点灯時よりも、光源１３７を明るく点灯させることができる。
【００８１】
第二の目標電流値３１４を大きくすれば、その分、光源１３７が明るく点灯するので、誘導灯装置１００の視認性が更に向上する。光源１３７の点灯継続時間よりも、誘導灯装置１００の視認性のほうを重視する場合、第二の目標電流値３１４に対する第一の目標電流値の比に対して、オンデューティが等しく、あるいは、オンデューティのほうが大きい構成であってもよい。
第二の目標電流値３１４に対する第一の目標電流値の比に対して、オンデューティが等しい場合、基準時間３０１経過後の点灯時間３０２は、光源１３７を継続して点灯する場合と変わらないが、誘導灯装置１００の視認性が向上する。
また、第二の目標電流値３１４に対する第一の目標電流値の比よりも、オンデューティのほうが大きい場合、基準時間３０１経過後の点灯時間３０２は、光源１３７を継続して点灯する場合よりも短くなるが、誘導灯装置１００の視認性が更に向上する。
【００８２】
実施の形態４．
実施の形態４について、図１４を用いて説明する。
なお、実施の形態１〜実施の形態３と共通する部分については、同一の符号を付し、説明を省略する。
【００８３】
この実施の形態における誘導灯装置１００の外観、構造、構成は、実施の形態１と同様である。この実施の形態における誘導灯装置１００は、基準時間３０１が経過した後において光源１３７を点灯させる方式が、実施の形態１と異なる。
【００８４】
制御部４１０は、基準時間３０１が経過したのち、光源１３７を点滅させる。ただし、光源１３７を点灯するときの明るさを、基準時間３０１が経過する前よりも暗くする。
【００８５】
点灯処理Ｓ１０の流れは、実施の形態３と同様である。ただし、第二の目標電流値は、実施の形態１と同様、第一の目標電流値よりも小さい。
【００８６】
図１４は、この実施の形態における光源１３７を流れる電流を示すタイミング図である。
【００８７】
停電が開始してから基準時間３０１が経過するまでの間は、光源１３７を第一の目標電流値３１１の電流が流れる。
基準時間３０１が経過したのちは、光源１３７を第二の目標電流値３１４の電流が流れる期間と、光源１３７を電流が流れない期間とを繰り返す。第二の目標電流値３１４は、第一の目標電流値３１１よりも小さいので、光源１３７を流れる電流の平均値３１２は更に小さくなる。その分、消費電力が小さくなるので、基準時間３０１経過後の点灯時間３０２が更に長くなる。
【００８８】
誘導灯装置１００の点灯時間が更に長くなるので、逃げ遅れた人の避難を容易にすることができる。特に、避難経路が長い場合や、避難すべき人数が多い場合など、避難に時間がかかる施設に設置される場合に有効である。
【００８９】
実施の形態５．
実施の形態５について、図１５〜図１６を用いて説明する。
なお、実施の形態１〜実施の形態４と共通する部分については、同一の符号を付し、説明を省略する。
【００９０】
この実施の形態における誘導灯装置１００には、３つの目標電流値がある。
【００９１】
図１５は、この実施の形態における電流検出回路４６３の回路構成を示す回路図である。
【００９２】
電流検出回路４６３は、実施の形態１で説明した構成に加えて、更に、スイッチ４６５と、抵抗４６８とを有する。
スイッチ４６５と抵抗４６８とは、互いに直列に電気接続している。スイッチ４６５と抵抗４６８との直列回路は、抵抗４６６と並列に電気接続している。スイッチ４６５は、電流切替信号線２１１を介して、電流切替信号を入力する。スイッチ４６５は、入力した電流切替信号に基づいて、オンオフする。
目標電流値は、電流切替信号線２１０を介して伝達される電流切替信号と、電流切替信号線２１１を介して伝達される電流切替信号との組合せによって表わされる。例えば、３つの目標電流値のうち第一の目標電流値を使う場合、スイッチ４６４がオフ、スイッチ４６５がオンになる。３つの目標電流値のうち第二の目標電流値を使う場合、スイッチ４６４がオフ、スイッチ４６５がオフになる。３つの目標電流値のうち第三の目標電流値を使う場合、スイッチ４６４がオン（スイッチ４６５はオンオフどちらでもよい。）になる。この場合、第三の目標電流値は、第一の目標電流値よりも大きくなり、第二の目標電流値は、第一の目標電流値よりも小さくなる。
【００９３】
点灯処理Ｓ１０の流れは、実施の形態１と同様なので、図１０を参照して説明する。
【００９４】
切替工程Ｓ１５において、電源切替部４９２は、変換部４４０からの電力を光源部４６０に供給することを指示する電源切替信号を生成する。光源オンオフ部４９６は、光源１３７を点灯させることを指示する光源オンオフ信号を生成する。電流切替部４９４は、目標電流値を第一の目標電流値とする電流切替信号を生成する。
【００９５】
点滅工程Ｓ１７において、光源オンオフ部４９６は、光源１３７を点灯させることを指示する光源オンオフ信号を生成する。これは、点灯処理Ｓ１０が終わるまで継続する。電流切替部４９４は、目標電流値を第三の目標電流値とする電流切替信号を生成する。電流切替部４９４は、所定のオン時間が経過するのを待つ。オン時間が経過した場合、電流切替部４９４は、目標電流値を第二の目標電流値とする電流切替信号を生成する。光源オンオフ部４９６は、所定のオフ時間が経過するのを待つ。オフ時間が経過した場合、電流切替部４９４は、再び、目標電流値を第三の目標電流値とする電流切替信号を生成する。電流切替部４９４は、これを繰り返す。
【００９６】
図１６は、この実施の形態における光源１３７を流れる電流を示すタイミング図である。
【００９７】
停電が開始してから基準時間３０１が経過するまでの間は、光源１３７を第一の目標電流値３１１の電流が流れる。
基準時間３０１が経過したのちは、光源１３７を第三の目標電流値３１４の電流が流れる期間と、光源１３７を第二の目標電流値３１３の電流が流れる期間とを繰り返す。光源１３７を流れる電流の平均値３１２が第一の目標電流値３１１よりも小さければ、消費電力が小さくなるので、基準時間３０１経過後の点灯時間３０２は、光源１３７を継続して点灯する場合よりも長くなる。
【００９８】
なお、目標電流値の数は、３つに限らず、４つ以上であってもよい。また、目標電流値を連続的に変えられる構成であってもよい。
その場合、例えば、リモコン受光部４１５が、オン時間における目標電流値や、オフ時間における目標電流値を指示するリモコン信号を受光する。電流切替部４９４は、記憶装置４１３を用いて、指示された目標電流値を記憶しておく。点滅工程Ｓ１７において、電流切替部４９４は、記憶しておいた目標電流値に基づいて、電流切替信号を生成する。これにより、使用者がリモコン操作によって設定した明るさで、光源１３７を点灯させることができる。また、オフ時間における目標電流値は０でもよい。その場合、オフ時間は光源１３７を消灯することを意味する。光源オンオフ部４９６は、オフ時間について指示された目標電流値が０であるか否かを記憶しておく。点滅工程Ｓ１７において、光源オンオフ部４９６は、記憶しておいた内容に基づいて、光源オンオフ信号を生成する。なお、オン時間やオフ時間における目標電流値は、リモコン操作によって指示するのではなく、状態表示部１５０の操作用スイッチを特定のパターンで操作することにより指示する構成であってもよい。
【００９９】
以上、各実施の形態で説明した構成は、例示であり、他の構成であってもよい。例えば、異なる実施の形態で説明した構成を組み合わせた構成であってもよいし、本質的でない部分の構成を、他の構成で置き換えた構成であってもよい。
【０１００】
光源１３７には、ＬＥＤなど、点滅応答性が優れ長寿命の光源を用いることが好ましいが、他の光源を用いる構成であってもよい。
【０１０１】
出力スイッチ４６２やスイッチ４６４，４６５には、ＭＯＳＦＥＴなど高速なスイッチング動作が可能な半導体スイッチを用いることが好ましいが、他のスイッチを用いる構成であってもよい。
【符号の説明】
【０１０２】
１００  誘導灯装置、１１０  器具本体、１２０  表示部、１３０  光源ユニット、１３１  光源アレイ、１３２  コネクタ、１３３  基板、１３４  熱伝導シート、１３５  絶縁板、１３６  ランプホルダ、１３７  光源、１３８  ネジ、１４０  点灯制御部、１５０  状態表示部、１６０  電源端子台、２００  光源オンオフ信号線、２０１  点灯信号入力線、２０２  停電判定信号線、２０４  フィードバック信号線、２０５  充電完了検出信号線、２０６  電源切替信号線、２０７  異常検出信号線、２１０，２１１  電流切替信号線、２２０  電力入力線、２２２〜２２５  電源線、２５０  外部電源、２５１  点灯信号発生装置、２５２  交流商用電源、２５３  遠隔操作スイッチ、３０１  基準時間、３０２，３０３  点灯時間、３１１，３１３，３１４  目標電流値、３１２  平均値、４１０  制御部、４１１  マイコン、４１２  発振回路、４１３  記憶装置、４１５  リモコン受光部、４１６  自己点検スイッチ、４１７  点検スイッチ、４１８  リセットスイッチ、４１９  モニタ、４２０  入力部、４２１  ダイオードブリッジ、４２２，４４１  直流直流変換回路、４２３  平滑コンデンサ、４２６  電圧検出回路、４３０  蓄電部、４３３  蓄電池電圧検出回路、４３４  蓄電池、４３５  充電回路、４４０  変換部、４５０  切替部、４５１，４６４，４６５  スイッチ、４６０  光源部、４６１  点灯回路、４６２  出力スイッチ、４６３  電流検出回路、４６６〜４６８  抵抗、４７０  光源回路、４７１  光源直列回路、４８１  異常検出部、４８２  充電完了検出部、４８３  点検部、４８４  点検結果記憶部、４８５  状態通知部、４９１  停電判定部、４９２  電源切替部、４９３  計時部、４９４  電流切替部、４９５  点灯判定部、４９６  光源オンオフ部、Ｓ１０  点灯処理、Ｓ１１  停電判定工程、Ｓ１２  点灯判定工程、Ｓ１３  点灯工程、Ｓ１４  消灯工程、Ｓ１５  切替工程、Ｓ１６  経過時間判定工程、Ｓ１７  点滅工程。
【図１】
0006546204.tif 000002
【図２】
0006546204.tif 000003
【図３】
0006546204.tif 000004
【図４】
0006546204.tif 000005
【図５】
0006546204.tif 000006
【図６】
0006546204.tif 000007
【図７】
0006546204.tif 000008
【図８】
0006546204.tif 000009
【図９】
0006546204.tif 000010
【図１０】
0006546204.tif 000011
【図１１】
0006546204.tif 000012
【図１２】
0006546204.tif 000013
【図１３】
0006546204.tif 000014
【図１４】
0006546204.tif 000015
【図１５】
0006546204.tif 000016
【図１６】
0006546204.tif 000017